(57)【要約】      （修正有）【課題】ランドセルの大マチ部に取付けた吊下具のなす環体のガタツキを防止するランドセル用吊下具を提供する。【解決手段】フック部１４とばね部１５とからなる吊下部の上方に嵌合孔１７を有した支持部を一体に形成し、前記嵌合孔の軸線方向と直角方向の上方側に嵌合孔よりやや狭い出口を設けた連通路１８を形成してなるなす環体１２と、前記なす環体の嵌合孔に挿通する支持筒部２２の左右対称位置に筒孔をそれぞれ設けた取付基板２１と、前記取付基板の支持筒部に挿通する薄厚でリング状に形成したばね座金２７と、前記取付基板の支持筒部に挿入する筒軸部の左右対称位置に、前記取付基板に設けた筒孔にそれぞれ挿通する軸受筒部３４を形成し、該軸受筒部の基部で上方周縁に係止鍔部３６を設けてなる化粧板３１と、前記化粧板の軸受筒部の軸心方向に設けたピン孔に圧入する軸部を有する圧入ピンの頭部をそれぞれ埋設した背面板４０とからなることを特徴とする。【選択図】図３
0003176189.tif 000002
【実用新案登録請求の範囲】
【請求項１】
フック部（１４）とばね部（１５）とからなる吊下部（１３）の上方に嵌合孔（１７）を有した支持部（１６）を一体に形成し、前記嵌合孔（１７）の軸線方向と直角方向の上方側に嵌合孔（１７）よりやや狭い出口（１９）を設けた連通路（１８）を形成してなるなす環体（１２）と、
前記なす環体の嵌合孔（１７）に挿通する支持筒部（２２）の左右対称位置に筒孔（２３）をそれぞれ有した取付基板（２１）と、
前記取付基板の支持筒部（２２）に挿通する薄厚でリング状に形成したばね座金（２７）と、
前記取付基板の支持筒部（２２）に挿入する筒軸部（３３）の左右対称位置に、前記取付基板に設けた筒孔（２３）にそれぞれ挿通する軸受筒部（３４）を形成して該軸受筒部の基部で上方周縁に係止鍔部（３６）を設けてなる化粧板（３１）と、
前記化粧板の軸受筒部（３４）の軸心方向に設けたピン孔（３５）に圧入する軸部（４２）を有する圧入ピン（４１）の頭部（４４）をそれぞれ埋設した背面板（４０）とからなることを特徴とするランドセル用吊下具。
【請求項２】
前記取付基板（２１）は、表面中央に前記なす環体（１２）の嵌合孔（１７）が挿通する支持筒部（２２）を設け、該支持筒部の左右両側の対称位置に前記化粧板の軸受筒部（３４）が挿通する筒孔（２３）をそれぞれ形成し、前記取付基板の背面側の左右長手方向にランドセル（１）の前締めベルト（８）を装着するベルト溝部（２４）を設けてなることを特徴とする請求項１記載のランドセル用吊下具。
【請求項３】
前記ばね座金（２７）は、薄厚で円周方向に凹凸部を連続して波打たせて環状に形成して弾発力を設けてなることを特徴とする請求項１記載のランドセル用吊下具。
【請求項４】
前記化粧板（３１）は、表面側の装飾部（３２）に設けた凹溝部（３７）に反射板や任意キャラクターなどを施した装飾板（３８）を貼着可能に形成し、裏面中央に前記取付基板（２１）の支持筒部（２２）に挿入する筒軸部（３３）を設け、該筒軸部の左右両側の対称位置で軸心方向にピン孔（３５）を有して形成した軸受筒部（３４）の基部で前記装飾部（３２）の背面側上方周縁に係止鍔部（３６）を一体に設けてなることを特徴とする請求項１または２記載のランドセル用吊下具。
【請求項５】
前記背面板（４０）は、前記化粧板（３１）に設けた軸受筒部（３４）のピン孔（３５）と合致する位置に頭部（４４）をそれぞれ埋設した圧入ピン（４１）を取付け、該圧入ピンの軸部（４２）の周面に一定間隔で複数の環状鍔部（４３）を一体に形成してなることを特徴とする請求項１または４記載のランドセル用吊下具。
【請求項６】
前記取付基板の支持筒部（２２）に吊下げられたなす環体（１２）は、該なす環体に一定以上の負荷が作用すると、嵌合孔（１７）に連通した連通路（１８）の出口（１９）に生じる求心方向への押圧力で支持筒部（２２）と筒軸部（３３）の外径を嵌合孔の内径から出口（１９）幅に変形させながら前記なす環体（１２）の連通路（１８）が支持筒部（２２）を通過して離脱可能にしてなることを特徴とする請求項１または２記載のランドセル用吊下具。
【考案の詳細な説明】
【技術分野】
【０００１】
本考案は、ランドセルの大マチ部に取付ける吊下具の改良に関する。
【背景技術】
【０００２】
従来、ランドセルの大マチ部には、学校で使用する体操着や給食器または学習教材などを収容する巾着袋等を吊下げるための吊下具が取付けられている。
【０００３】
吊下具の多くは、巾着袋を吊下げる吊下片と、該吊下片を大マチ部に取付ける取付片とからなり、前記吊下片は、巾着袋をワンタッチで簡単に着脱でき、且つ、少し位乱暴に取り扱っても外れにくいことから、いわゆるなす環型をした吊下片が取付けられている。
【０００４】
この吊下具は、大マチ部の上方に位置した前締めベルトにリベットや圧着鋲などの固定ピンで取付片を固定し、該取付片の下方に設けた吊下片に巾着袋を吊下げ、巾着袋の動きにあわせて枢動且つ揺動可能に取付けたことにより吊下具が破損するのを防止している。
【０００５】
しかし、学童は身体の幅方向の感覚が十分に掴めないこと、および巾着袋が大きく揺れやすいことなどから、通学路での路肩の突起物や、垣根から突出している木の枝などに吊下げた巾着袋を引っ掛けやすい。さらには、友達同士でふざけて袋を引っ張られたとき、吊下具に過度の負担が加わると、吊下具の連結片部分が折れたりするおそれがあった。さらにはまた、吊下具に吊下げた巾着袋がすれ違う自動車やオートバイのミラーなどの突起部分に引っ掛かり引きずられると怪我をするおそれがあり非常に危険であった。
【０００６】
そこで、このような問題点を解決するために、吊下具に吊下げた巾着袋に一定以上の引張力が作用したとき、吊下片が取付片から破損することなく外れるようにして学童の怪我を防止し、学童の安全を図ることを目的とした吊下具が知られている。
【先行技術文献】
【特許文献】
【０００７】
【特許文献１】特開平１０−７１０１３号
【特許文献２】実開平０５−４８７１５号
【０００８】
前者は、断面楕円形の軸部を有した第１の部材と、前記第１の部材の軸部に軸支する軸穴に連通路を有した第２の部材と、該第２の部材の下方に設けた保持空間に取付けるなす環状の吊下げ部材とからなり、該吊下げ部材に吊下げた袋が引っ張られると、第１の部材の軸部に軸支されている第２の部材が回転して軸穴の連通路と軸部の狭軸部とが合致し、第１の部材から第２の部材が離脱して学童が引張られて怪我をするのを防止している。しかし、前記吊下具は、第１の部材、第２の部材および吊下げ部材など部品数が多くコストも高く不経済であると共に、取付け作業に手間がかかり非能率である。さらに、巾着袋が引っ張られたとき、巾着袋が必ずしも水平方向に回転するとは限らず、水平方向に回転しないと抜けないのでは非常に危険であるとの問題点を有している。
【０００９】
後者は、吊り止め具の係止部に設けたフック部の隙間からナス環の取付部を通して吊下げる構造で、ナス環が引張られると、フック部が弾性変形して隙間が広がりナス環を係止部から離脱させるものである。通常、ランドセルに取付ける吊下具の引張り強度は、一定負荷以上の引張力が加わると、安全のために抜け落ちる構成を有することが求められるが、前記ナス環吊り止め具のフック部の弾性変形は、一定負荷未満の引張力で抜ける可能性があり安全性に問題がある。
さらには、前記した発明考案は、吊下げられている吊下げ部材またはナス環を第１の部材やフック部などで吊下げているだけであるため、吊下げ部材やナス環が回転方向だけでなく軸方向にも揺れて吊下げ部材またはナス環の揺動が不安定になり破損しやすい。また、軸方向に揺れる吊下げ部材またはナス環が第１の部材やフック部に当たり異音が発生しやすいなどの問題点を有している。
【考案の概要】
【考案が解決しようとする課題】
【００１０】
本考案は、ランドセルの大マチ部に位置した前締めベルトに取付ける吊下具の構成部品を少なくして取付け作業の向上を図ると共に、一定以上の引張力がなす環体に加わった場合、なす環体が破損することなく確実に抜け、また、吊下げられたなす環体が揺動する際に軸方向の揺れと異音の発生を防止し、且つ、抜けたなす環体は再使用が可能で安全な強度を有する吊下具を提供することを目的とする。
【課題を解決するための手段】
【００１１】
請求項１の考案は、フック部１４とばね部１５とからなる吊下部１３の上方に嵌合孔１７を有した支持部１６を一体に形成し、前記嵌合孔１７の軸線方向と直角方向の上方側に嵌合孔１７よりやや狭い出口１９を設けた連通路１８を形成してなるなす環体１２と、前記なす環体の嵌合孔１７に挿通する支持筒部２２の左右対称位置に筒孔２３をそれぞれ有した取付基板２１と、前記取付基板の支持筒部２２に挿通する薄厚でリング状に形成したばね座金２７と、前記取付基板の支持筒部２２に挿入する筒軸部３３の左右対称位置に、前記取付基板に設けた筒孔２３にそれぞれ挿通する軸受筒部３４を形成して該軸受筒部の基部で上方周縁に係止鍔部３６を設けてなる化粧板３１と、前記化粧板の軸受筒部３４の軸心方向に設けたピン孔３５に圧入する軸部４２を有する圧入ピン４１の頭部４４をそれぞれ埋設した背面板４０とからなることを特徴とする。また、前記取付基板２１は、表面中央に前記なす環体１２の嵌合孔１７が挿通する支持筒部２２を設け、該支持筒部の左右両側の対称位置に前記化粧板の軸受筒部３４が挿通する筒孔２３をそれぞれ形成し、前記取付基板の背面側の左右長手方向にランドセル１の前締めベルト８を装着するベルト溝部２４を設けてなることを特徴とする。さらに、前記ばね座金２７は、薄厚で円周方向に凹凸部を連続して波打たせて環状に形成して弾発力を設けてなることを特徴とする。さらにはまた、前記化粧板３１は、表面側の装飾部３２に設けた凹溝部３７に反射板や任意キャラクターなどを施した装飾板３８を貼着可能に形成し、裏面中央に前記取付基板２１の支持筒部２２に挿入する筒軸部３３を設け、該筒軸部の左右両側の対称位置で軸心方向にピン孔３５を有して形成した軸受筒部３４の基部で前記装飾部３２の背面側上方周縁に係止鍔部３６を一体に設けてなることを特徴とする。また、前記背面板４０は、前記化粧板３１に設けた軸受筒部３４のピン孔３５と合致する位置に頭部４４をそれぞれ埋設した圧入ピン４１を取付け、該圧入ピンの軸部４２の周面に一定間隔で複数の環状鍔部４３を一体に形成してなることを特徴とする。さらに、前記取付基板の支持筒部２２に吊下げられたなす環体１２は、該なす環体に一定以上の負荷が作用すると、嵌合孔１７に連通した連通路１８の出口１９に生じる求心方向への押圧力で支持筒部２２と筒軸部３３の外径を嵌合孔の内径から出口１９幅に変形させながら前記なす環体１２の連通路１８が支持筒部２２を通過して離脱可能にしてなることを特徴とする。
【００１２】
したがって、取付基板２１と化粧板３１との間の支持筒部２２に吊下げられたなす環体１２は、支持筒部２２に挿通したばね座金２７で一方向に付勢されているため、なす環体１２が軸心方向への移動による異音の発生や捩じれによるなす環体１２の脱落、または衝撃による支持筒部２２の破損を防止することができる。さらに、支持筒部２２を薄厚に形成したことにより、所定の圧力で外周面が変形してなす環体１２を確実に離脱させることができるので、学童が転倒する事故を未然に防止することができ安全である。さらにはまた、前記支持筒部２２内に化粧板３１の筒軸部３３を挿入して薄厚に形成した支持筒部２２の強度不足を補強することができる。また、筒軸部３３を挿入して支持筒部２２を補強したことにより、なす環体１２が離脱するときの変形で支持筒部２２が破損するのを防止することができる。さらには、取付基板２１と化粧板３１を背面板４０に取付けた複数の圧入ピン４１で強固に連結してなす環体１２を吊下げることができるので、なす環体１２が引張られた衝撃で吊下げ具１１が破損するのを防止することができる。
【図面の簡単な説明】
【００１３】
【図１】本考案にかかる吊下具を取付けたランドセルの側面図である。
【図２】前締ベルトに取付けた吊下具の要部拡大正面図である。
【図３】吊下具の分解斜視図である。
【図４】吊下具の分解側面図である。
【図５】装飾板の裏面図である。
【図６】図５のＣ―Ｃ線断面図である。
【図７】ばね座金の実施形態を示す正面図である。
【図８】なす環体の正面図である。
【図９】図２のＡ―Ａ線断面図である。
【図１０】図２のＢ―Ｂ線断面図である。
【図１１】図９のＤ―Ｄ線断面図である。
【図１２】支持筒部を押圧変形してなす環体の連通路が抜ける直前の状態を示す説明図である。
【考案を実施するための形態】
【００１４】
本考案の実施の形態を図面に基づいて説明すると、図１は本考案にかかる吊下具を取付けたランドセルの側面図、図２は前締ベルトに取付けた吊下具の要部拡大正面図、図３は吊下具の分解斜視図、図４は吊下具の分解側面図、図５は装飾板の裏面図、図６は図５のＣ―Ｃ線断面図、図７はばね座金の実施形態を示す正面図、図８はなす環体の正面図、図９は図２のＡ―Ａ線断面図、図１０は図２のＢ―Ｂ線断面図である。である。ランドセル１は、背板２の背面に教科書を収納する主収容室３と、各種教材を収容する副収容室４と、小物を収容する前ポケット５と、ランドセル１の上面全体を覆う蓋板６と、ランドセル１を背負う背負ベルト７とにより構成されている。前記主収容室３の側面部を形成する大マチ部３ａには、図１、２に示すごとく、幅方向に位置した帯状のいわゆる前締ベルト８に吊下具１１が取付けられ、この前締ベルト８の所定箇所と大マチ部３ａの所定箇所に前記吊下具１１を取付けるための孔９をそれぞれ設けてある。
【００１５】
前記ランドセル１に取付ける吊下具１１は、図３、４に示すごとく、金属鋳造材または硬質合成樹脂材により一体に形成したなす環体１２と、表面側になす環体１２を吊下げる支持筒部２２と背面側に前記前締ベルト８を装着するベルト溝部２４を有した取付基板２１と、該取付基板の支持筒部２２に挿通するリング状に形成した弾発力を有するばね座金２７と、前記取付基板２１の支持筒部に吊下げたなす環体１２を表側から保持する化粧板３１と、大マチ部３ａの裏側から化粧板３１に設けた軸受筒部３４に圧入ピン４１を圧入して取付ける背面板４０とにより構成されている。
【００１６】
前記なす環体１２は、図８に示すごとく、下端中央に設けたフック部１４と鋼線をＵ字形に折り曲げて形成したばね部１５を取付けた吊下部１３の上方に、嵌合孔１７を有した支持部１６を一体に形成してなり、前記嵌合孔１７は、軸線方向と直角方向の上方側に嵌合孔１７と連通する連通路１８を開口してある。この連通路１８は、出口１９の開口幅を、図８に示すごとく、前記嵌合孔１７の内径Ｈよりやや狭い開口幅ｈに形成し、入口幅を嵌合孔１７の内径Ｈとほぼ同じ幅に形成してある。
【００１７】
前記連通路１８の出口１９に設けた開口幅ｈは、なす環体１２に一定以上の引張力が加わると出口１９に生ずる下方への押圧力で支持筒部２２が破損しないで変形可能な開口幅に形成してある。連通路１８の入口幅は、出口１９の開口幅より広く、支持筒部２２の外径とほぼ同じ幅で扇状に開口してある。入口幅を広くすることにより、一度脱落したなす環体１２を再度装着する際に支持筒部２２の装着を容易にすることができる。
【００１８】
前記取付基板２１は、図３、４に示すごとく、合成樹脂材により表面中央に前記なす環体１２の嵌合孔１７が挿通する支持筒部２２を設け、該支持筒部の左右両側の対称位置に前記化粧板３１の軸受筒部３４が挿通する筒孔２３をそれぞれ形成してある。前記取付基板２１の背面側の左右長手方向にランドセル１の前締めベルト８を装着するベルト溝部２４を設けてある。前記支持筒部２２全体を薄厚に形成することにより、一定以上の引張力が加わると変形可能に形成してある。また、支持筒部２２の内部に前記装飾板３１の筒軸部３３を挿通することにより、薄厚に形成した支持筒部２２の強度不足を補強し、また、なす環体１２が離脱するときの外圧変形による衝撃で支持筒部２２が破損するのを防止することができる。
【００１９】
前記なす環体１２に一定負荷以上の引張力が作用すると、前記したごとく、なす環体１２の連通路１８の出口１９に生じる下方への押圧力で支持筒部２２の外周面を均等に押圧して縮径するように変形させる。前記支持筒部２２は、外周面が嵌合孔１７の内径幅Ｈから出口１９の開口幅ｈに変形して連通路１８が支持筒部２２から抜けてなす環体１２を離脱させることができる。
【００２０】
前記ばね座金２７は、薄厚でリング状に形成された金属材からなり、例えば、薄厚で円周方向に凹凸部を連続して波打たせて環状に形成して弾発力をもたせて形成したばね座金２７ａ（図７イ）。または、薄厚でリング状に形成した板材の一部を切断し、該切断面を上下に捩じって全体に弾発力をもたせて形成したばね座金２７ｂ（図７ロ）。さらには、薄厚でリング状に形成した金属材の外径と内径との間を傾斜させて弾発力をもたせて形成したばね座金２７ｃ（図７ハ）などである。
【００２１】
このばね座金２７を取付基板２１と化粧板３１との間の支持筒部２２に介在させてなす環体１２を常に一方向に付勢させて吊下げることにより、なす環体１２が軸心方向への移動による異音の発生を防止することができる。また、なす環体１２が幅方向に揺れたとき、軸方向に働くガタツキや捩じれなどをばね座金２７で吸収し、なす環体１２に予想外の強い捻りが作用したとき、その捻り力により支持筒部２２が変形してなす環体１２が脱落するのを防止することができる。
【００２２】
前記装飾板３１は、図５、６に示すごとく、表面側に装飾部３２を形成し、裏面側の中央に前記取付基板２１の支持筒部２２に挿入する筒軸部３３を設け、該筒軸部の左右両側の対称位置で軸心方向にピン孔３５を有した軸受筒部３４を形成し、該軸受筒部の基部で前記装飾部３２の背面側上方周縁に沿って係止鍔部３６を一体に設けてある。前記装飾部３２の表面に設けた凹溝部３７は、反射板や任意アニメキャラクターなどを施した装飾板３８を貼着可能に形成してある。
【００２３】
前記装飾部３２に装飾板３８を取付けたことにより、例えば、反射板を取付けた場合は、下校時の夕暮れどきに車両からのライトが反射することにより運転者の注意を喚起することができるので、交通事故防止につながり安全である。また、女の子や男の子が好む図形やまんがのキャラクターなどを施すことにより、他のランドセルと差別化することができるので購買意欲を増進させることができる。
【００２４】
前記取付基板２１の支持筒部２２内に、装飾板３１の筒軸部３３を挿入して二重に形成することにより、支持筒部２２の強度不足を補強し、また、なす環体１２が離脱するときの外圧変形は、支持筒部２２だけでなく筒軸部３３も同時に変形することから容易に変形しないため、一定負荷以上の引張力が作用しないと抜けないようにすることができる。さらには、なす環体１２が引っ張られたときの衝撃で支持筒部２２が破損するのも防止することができる。
【００２５】
前記背面板４０は、図３、４、１０に示すごとく、前記化粧板３１に設けた軸受筒部３４のピン孔３５と合致する位置に頭部４４をそれぞれ埋設した圧入ピン４１を取付け、該圧入ピンの軸部４２の周面に一定間隔で複数の環状鍔部４３を同心円状に形成してある。複数の環状鍔部４３を同心円状に設けたことにより、前記化粧板３１のピン孔３５に圧入した軸部４２が抜けるのを防止することができる。
【００２６】
以下、本考案の実施の形態の作用について説明すると、ランドセル１の大マチ部３ａに吊下具１１を取付ける場合、取付基板２１の支持筒部２２にばね座金２７を挿通してからなす環体１２の嵌合孔１７を支持筒部２２に挿通する。次いで、化粧板３１の筒軸部３２を支持筒部２２内に挿通すると共に軸受筒部３４を取付基板２１の筒孔２３に挿入して押し込むと、該化粧板３１の上端に設けた係止鍔部３６が取付基板２１の表面に接合して止まることにより、なす環体１２をばね座金２７で付勢した一定の力で挟持して吊下げることができる。
【００２７】
なす環体１２を取付基板２１と化粧板３１に挟んで吊下げた後、取付基板２１のベルト溝部２４に大マチ部３に取付けた前締めベルト８を嵌合し、次いで、大マチ部３ａの孔９に化粧板３１の軸受筒部３４を挿入し、大マチ部３ａの内側から背面板４０の圧入ピン４１のピン軸４２を軸受筒部２４のピン孔３５に挿入圧着して吊下具１１を大マチ部３ａに取付ける。
【００２８】
従来は、はとめやリベットなどの留具を使用して取付けていたため、専用治具を使用してかしめ止めしなければならないが、本考案は、背面板４０に頭部４４を埋設した圧入ピン４１の軸部４２を挿入圧着するだけで簡単に固定することができる。圧入された圧入ピン４１は、軸部４２の周面に複数の環状鍔部４３を設けてあるため抜けるおそれがなく、取付作業を能率的に行うことができる。さらには、背面板４０に設けた複数の圧入ピン４１で吊下具１１を大マチ部３ａに取付けてあるため、外部からの衝撃で部品がばらばらになったり破損するおそれがない。
【００２９】
前記なす環体１２は、ばね座金２７で一方向に付勢させることにより、なす環体１２が軸心方向へ移動するに発生する異音を防止することができる。また、なす環体１２が幅方向に揺れたときに生じる想定外のねじれ力の発生をばね座金２７で吸収し、ガタツキや捩じれなどによる予想外の力が作用してなす環体１２が脱落したり破損したりするのを防止できる。  
【００３０】
なす環体１２に設けた嵌合孔１７は、図８に示すごとく、なす環体１２の吊下方向と反対側の軸心方向の一端に連通路１８を開口し、該連通路の出口１９を、嵌合孔１７の内径Ｈよりやや狭い開口幅ｈに形成してある。したがって、なす環体１２に吊下げた巾着袋が引っ掛かって一定以上の引張力が加わると、なす環体１２の連通路１８の出口１９に働く求心方向への均等な押圧力で支持筒部２２の外周面を弾性変形（図１２に示すごとく）させることにより、支持軸部２２または連通路１８を破損することなく、嵌合孔１７の内径Ｈから出口１９の開口幅ｈに変形しながら抜けてなす環体１２を確実に離脱させることができる。したがって、離脱したなす環体１２または支持軸部２２は、離脱による破損部分がないことから、再度、取付けて使用することができるので大変経済的である。
【００３１】
吊下具１１のなす環体１２に巾着袋を吊下げたランドセル１を学童が背負って走ったり、ランドセル１を左右に振った程度の引張力以下ではなす環体１２の嵌合孔１７の連通路１８の出口に作用する押圧力が弱く、取付基板２１の支持軸部２２が変形しないためなす環体１２は支持筒部２２から離脱することなく確実に支持することができる。
【００３２】
吊下具１１に吊下げられたなす環体１２の左右に振れる揺動範囲は、図１１に示すごとく、化粧板３１に設けた左右の軸受筒部３４で規制して左右の水平方向まで振れることを防止してある。したがって、学校の登下校中に吊下具１１に吊下げた巾着袋が高く振りあがらないため、生垣の枝に引っ掛けたり、狭い道ですれ違った車両の突起部分に引掛かったりするのを防止することができる。
【００３３】
前記したごとく、学校の登下校中にランドセル１の吊下具１１に吊下げた巾着袋が、万一、生垣の枝に引っ掛けたり、狭い道ですれ違った車両の突起部分に引掛けたりした場合、または、一定以上の引張力が加わると、嵌合孔１７と連通した連通路１８が引張り方向と反対側に引張られて連通路１８の出口１９に作用する押圧力で支持筒部２２の外周面を求心方向に押圧変形させながら連通路１８を抜けてなす環体１２を取付基板２１から離脱させることができる。したがって、引かかった袋により学童が引張られて転倒して怪我をする事故を未然に防止することができ安全である。
【００３４】
大マチ部３と吊下具１１との間に、保護板（図示せず）を介在させて吊下具の揺動によるスレで大マチ部の表面の傷付きを防止することができるのは勿論である
【符号の説明】
【００３５】
１    ランドセル
２    背板
３    大マチ部
４    マチ部
５    前ポケット部
６    蓋板
７    背負いベルト
８    前締めベルト
９    孔
１１  吊下具
１２  なす環体
１３  吊下部片
１４  フック部
１５  ばね部
１６  支持部片
１７  嵌合孔
１８  連通路
１９  出口
２１  取付基板
２２  支持筒部
２３  筒孔
２４  ベルト溝部
２７  ばね座金
３１  化粧板
３２  装飾部
３３  筒軸部
３４  軸受筒部
３５  ピン孔
３６  係止鍔部
４０  背面板
４１  圧入ピン
４２  軸部
４３  環状突起
４４  頭部
【図１】
0003176189.tif 000003
【図２】
0003176189.tif 000004
【図３】
0003176189.tif 000005
【図４】
0003176189.tif 000006
【図５】
0003176189.tif 000007
【図６】
0003176189.tif 000008
【図７】
0003176189.tif 000009
【図８】
0003176189.tif 000010
【図９】
0003176189.tif 000011
【図１０】
0003176189.tif 000012
【図１１】
0003176189.tif 000013
【図１２】
0003176189.tif 000014